【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
複数の記録素子が所定方向に配列された記録素子列を複数有する記録ヘッドを、前記配列方向と交差する方向に走査させて記録を行う記録装置であって、
接続されたホスト機器から送信され、各記録素子列間の走査方向における相対距離に対応した第１のレジスト情報と、各記録素子列の前記走査方向と直交する方向における傾きに対応した第２のレジスト情報とを含む設定データ及び各記録素子列の記録データを格納する受信バッファと、
各記録素子列の記録データを、前記走査方向における記録位置に関連付けて格納する記録バッファと、
前記第１及び第２のレジスト情報に基づいて、各記録素子列の記録データの格納位置を調整して前記記録バッファに格納するように制御する書き込み制御手段と、を備えることを特徴とする記録装置。
【請求項２】
前記第２のレジスト情報は、前記傾きを前記走査方向における記録画素の数に換算した値であることを特徴とする請求項１に記載の記録装置。
【請求項３】
前記第２のレジスト情報を、各記録素子列内の所定数の記録素子毎に設けることを特徴とする請求項１又は２に記載の記録装置。
【請求項４】
前記記録バッファに格納された記録データを読み出すための読み出しアドレス情報を各記録素子列毎に制御する読み出し制御手段と、
前記読み出しアドレス情報に基づいて読み出された記録データに従って各記録素子列を駆動して記録を行う記録制御手段と、を更に備えることを特徴とする請求項１に記載の記録装置。
【請求項５】
各記録素子列によってそれぞれ異なった色で記録を行うように構成されていることを特徴とする請求項１から４のいずれか１項に記載の記録装置。
【請求項６】
前記記録バッファは、前記走査方向における記録領域を複数のブロックに分割し、該ブロック毎に記録データを格納するように構成されており、
前記書き込み制御手段は、前記記録データに含まれるデータの有無を識別するための情報と、該データのラスター数と、該データの第１のレジスト情報及び第２のレジスト情報と、を記録素子列毎に格納するレジスタを有することを特徴とする請求項１に記載の記録装置。
【請求項７】
前記書き込み制御手段は、各ブロックに対する各記録素子列の記録データの有無に応じて、前記記録バッファに格納するためのアドレス情報を制御することを特徴とする請求項６に記載の記録装置。
【請求項８】
各記録素子からインクを吐出して記録を行うことを特徴とする請求項１から７のいずれか１項に記載の記録装置。
【請求項９】
各記録素子は、熱エネルギーを利用してインクを吐出すべく、インクに与える熱エネルギーを発生するための熱エネルギー変換体を備えていることを特徴とする請求項８に記載の記録装置。
【請求項１０】
複数の記録素子が所定方向に配列された記録素子列を複数有する記録ヘッドを、前記配列方向と交差する方向に走査させて記録を行い、接続されたホスト機器から送信され、設定データ及び各記録素子列の記録データを格納する受信バッファと、各記録素子列の記録データを、前記走査方向における記録位置に関連付けて格納する記録バッファと、を備える記録装置のデータ処理方法であって、
前記設定データに含まれる各記録素子列間の走査方向における相対距離に対応した第１のレジスト情報と、各記録素子列の前記走査方向と直交する方向における傾きに対応した第２のレジスト情報とに基づいて、各記録素子列の記録データの格納位置を調整して前記記録バッファに格納するように制御する書き込み制御工程と、
前記記録バッファに格納された記録データを読み出すための読み出しアドレス情報を各記録素子列毎に制御する読み出し制御工程と、
前記読み出しアドレス情報に基づいて読み出された記録データに従って各記録素子列を駆動して記録を行う記録制御工程と、を備えることを特徴とする記録装置のデータ処理方法。
【請求項１１】
複数の記録素子が所定方向に配列された記録素子列を複数有する記録ヘッドを、前記配列方向と交差する方向に走査させて記録を行う記録装置と、該記録装置に接続され、前記記録装置に対して設定データ及び記録データを送信するホスト機器と、を含む記録システムであって、
前記ホスト機器が、前記設定データとして、各記録素子列間の走査方向における相対距離に対応した第１のレジスト情報と、各記録素子列の前記走査方向と直交する方向における傾きに対応した第２のレジスト情報とを含むデータを送信し、
前記記録装置が、各記録素子列の記録データを、前記走査方向における記録位置に関連付けて格納する記録バッファを備え、前記第１及び第２のレジスト情報に基づいて、各記録素子列の記録データの格納位置を調整して前記記録バッファに格納するように制御することを特徴とする記録システム。
【請求項１２】
記録素子列を複数有する記録ヘッドを記録媒体に対して走査させて記録媒体に記録する記録装置に対して出力する記録データを、前記記録媒体において前記記録ヘッドの走査記録領域のうち走査方向に複数に分割された領域に対応したブロック単位で生成する生成手段と、前記記録データを含む指示を出力する出力手段を備えるホスト装置であって、
前記記録ヘッドの前記記録素子列のずれについての第１のレジスト情報、及び記録素子列の前記走査方向と直交する方向における傾きに対応した第２のレジスト情報を取得するレジスト情報取得手段と、
前記生成された記録データから前記記録装置において１回の走査記録で記録する記録データに対応したブロック数を取得するブロック数取得手段と、
前記ブロック数取得手段が取得した前記ブロック数を、前記第１及び第２のレジスト情報に基づいて変更するか否かを判定する判定手段と、
前記判定手段が前記ブロック数を変更すると判定した場合には、前記指示の内容を変更する変更手段を備えることを特徴とするホスト装置。
【請求項１３】
前記判定手段は、１回の走査記録で記録する記録データのうちの走査方向における最下流のブロックに対応するデータの走査方向のデータサイズと前記第１及び第２のレジスト情報との和と、１ブロックあたりの走査方向のサイズに関する情報とを比較することを特徴とする請求項１２に記載のホスト装置。
【請求項１４】
前記変更手段は、ブロック数を増やすことを特徴とする請求項１２又は１３に記載のホスト装置。
【請求項１５】
前記ホスト装置は、前記判定手段が前記ブロック数を変更することを示す情報を前記指示に追加する指示内容変更手段を備えることを特徴とする請求項１２から１４のいずれか１項に記載のホスト装置。
【請求項１６】
前記指示内容変更手段は、最下流のブロックに対応するデータに続いて、所定数のデータ、前記ブロック数を変更するコマンドのうちの少なくとも１つを追加することを備えることを特徴とする請求項１５に記載のホスト装置。
【手続補正２】
【補正対象書類名】明細書
【補正対象項目名】発明の名称
【補正方法】変更
【補正の内容】
【発明の名称】記録装置、記録装置のデータ処理方法、記録システム及びホスト装置
【手続補正３】
【補正対象書類名】明細書
【補正対象項目名】０００１
【補正方法】変更
【補正の内容】
【０００１】
本発明は記録装置、記録装置のデータ処理方法、記録システム及びホスト装置に関し、より詳細には、複数の記録素子が所定方向に配列された記録素子列を複数有する記録ヘッドを、記録素子の配列方向と交差する方向に走査させて記録を行う記録装置における、記録データの処理に関するものである。
【手続補正４】
【補正対象書類名】明細書
【補正対象項目名】００２５
【補正方法】変更
【補正の内容】
【００２５】
また、記録素子列を複数有する記録ヘッドを記録媒体に対して走査させて記録媒体に記録する記録装置に対して出力する記録データを、前記記録媒体において前記記録ヘッドの走査記録領域のうち走査方向に複数に分割された領域に対応したブロック単位で生成する生成手段と、前記記録データを含む指示を出力する出力手段を備えるホスト装置であって、
前記記録ヘッドの前記記録素子列のずれについての第１のレジスト情報、及び記録素子列の前記走査方向と直交する方向における傾きに対応した第２のレジスト情報を取得するレジスト情報取得手段と、
前記生成された記録データから前記記録装置において１回の走査記録で記録する記録データに対応したブロック数を取得するブロック数取得手段と、
前記ブロック数取得手段が取得した前記ブロック数を、前記第１及び第２のレジスト情報に基づいて変更するか否かを判定する判定手段と、
前記判定手段が前記ブロック数を変更すると判定した場合には、前記指示の内容を変更する変更手段を備えるホスト装置によっても上記の目的は達成される。